(57)【要約】【課題】簡易な設定によって、複数のディスプレイに跨る映像を表示することができる映像表示システムに関する。【解決手段】映像表示システムは、複数の映像表示装置と、複数の表示用コンピューターと、１つの操作用コンピューター２０１とを備える。各映像表示装置は、当該映像表示装置が有するディスプレイの配置情報を取得する。各表示用コンピューターは、対応する映像表示装置から配置情報を読み出す。そして、表示用コンピューターは、配置情報と表示範囲情報とに基づいて、対応する映像表示装置におけるディスプレイに映像を表示させる。【選択図】図１
2016109797.tif 000002
【特許請求の範囲】
【請求項１】
複数のディスプレイが組み合わせられて構成されるマルチディスプレイにおいて、複数の前記ディスプレイに跨る映像を表示する映像表示システムであり、
各前記ディスプレイを有する、複数の映像表示装置と、
各前記映像表示装置に対応して設けられ、対応する前記映像表示装置における前記ディスプレイに少なくとも一部の前記映像を表示させる複数の表示用コンピューターと、
複数の前記表示用コンピューターに対し、前記マルチディスプレイにおける前記映像の表示範囲に関する情報である表示範囲情報を出力する１つの操作用コンピューターとを備え、
各前記映像表示装置は、当該映像表示装置が有する前記ディスプレイの、前記マルチディスプレイ全体における位置及び大きさに関する情報である配置情報を取得し、
各前記表示用コンピューターは、対応する前記映像表示装置から前記配置情報を読み出し、
少なくとも１つの前記表示用コンピューターは、前記配置情報と前記表示範囲情報とに基づいて、対応する前記映像表示装置における前記ディスプレイに少なくとも一部の前記映像を表示させる、
映像表示システム。
【請求項２】
前記配置情報は、少なくとも、前記マルチディスプレイを構成する各前記ディスプレイの数及び各前記ディスプレイの解像度に基づいて設定される、
請求項１に記載の映像表示システム。
【請求項３】
各前記表示用コンピューターは、対応する前記映像表示装置から、ＥＤＩＤの一部の領域に書き込まれた前記配置情報を読み出す、
請求項１又は請求項２に記載の映像表示システム。
【発明の詳細な説明】
【技術分野】
【０００１】
本技術は、複数のディスプレイに跨る映像を表示する映像表示システムに関するものである。
【背景技術】
【０００２】
複数のディスプレイを格子状に配置し、各ディスプレイを合わせて１つのディスプレイとして表示可能にするディスプレイウォールシステムが製品化され、監視制御システム又はデジタルサイネージの分野において広く用いられている。
【０００３】
これらの映像表示システムでは、１つのディスプレイの大きさよりも大きい映像を表示するために、複数の表示用コンピューターに接続された複数の映像表示装置の、複数のディスプレイに跨って１つの映像ウィンドウを表示させる方式を採用するものがある。これらの映像表示システムでは、操作用コンピューターの制御によって表示用コンピューターが映像ウィンドウを表示させる際に、ネットワークに接続された複数の表示用コンピューターが、ネットワーク対応型カメラなどの映像データ供給装置の映像データを受信する。そして、各表示用コンピューターが映像情報（映像データ）のデコードを行った上で、担当する表示エリア（すなわち、対応するディスプレイ）の映像表示を行う。このようにして、複数のディスプレイに跨って１つの映像ウィンドウが表示される。
【０００４】
上記のような複数のディスプレイを組み合わせて、単一のディスプレイ（マルチディスプレイ）として映像を表示させる映像表示システムにおいては、各ディスプレイが全体のマルチディスプレイ内でのどの位置に対応するかについて、各映像表示装置において把握される必要がある。例えば、特許文献１に記載されるように、ユーザが水平方向及び垂直方向に配列された映像表示装置の台数と、各ディスプレイの識別情報とを設定するなどを行い、各ディスプレイのマルチディスプレイ内での位置が把握される必要がある。
【先行技術文献】
【特許文献】
【０００５】
【特許文献１】特開２００４−２０８１４５号公報
【発明の概要】
【発明が解決しようとする課題】
【０００６】
上記のような映像表示システムにおいては、各ディスプレイのマルチディスプレイ内での位置は、手動又は自動で設置作業者により各映像表示装置に直接設定される。
【０００７】
一方で、各映像表示装置に接続された表示用コンピューターにおいても、複数の映像表示装置に跨って１つの映像ウィンドウを表示するために、全体のマルチディスプレイ内での位置が設定される必要がある。そのため、設置作業者は双方の設定を別々に行う必要があり、二度手間となっていた。特に、多数のディスプレイを備えるディスプレイウォールなどの映像表示システムにおいては、設定操作が煩雑となり、また長時間を要するという問題があった。
【０００８】
本技術は、上記のような問題を解決するものであり、簡易な設定によって、マルチディスプレイにおいて複数のディスプレイに跨る映像を表示することができる映像表示システムに関するものである。
【課題を解決するための手段】
【０００９】
本技術の一態様に関する映像表示システムは、複数のディスプレイが組み合わせられて構成されるマルチディスプレイにおいて、複数の前記ディスプレイに跨る映像を表示する映像表示システムであり、各前記ディスプレイを有する、複数の映像表示装置と、各前記映像表示装置に対応して設けられ、対応する前記映像表示装置における前記ディスプレイに少なくとも一部の前記映像を表示させる複数の表示用コンピューターと、複数の前記表示用コンピューターに対し、前記マルチディスプレイにおける前記映像の表示範囲に関する情報である表示範囲情報を出力する１つの操作用コンピューターとを備え、各前記映像表示装置は、当該映像表示装置が有する前記ディスプレイの、前記マルチディスプレイ全体における位置及び大きさに関する情報である配置情報を取得し、各前記表示用コンピューターは、対応する前記映像表示装置から前記配置情報を読み出し、少なくとも１つの前記表示用コンピューターは、前記配置情報と前記表示範囲情報とに基づいて、対応する前記映像表示装置における前記ディスプレイに少なくとも一部の前記映像を表示させる。
【発明の効果】
【００１０】
本技術の一態様に関する映像表示システムは、複数のディスプレイが組み合わせられて構成されるマルチディスプレイにおいて、複数の前記ディスプレイに跨る映像を表示する映像表示システムであり、各前記ディスプレイを有する、複数の映像表示装置と、各前記映像表示装置に対応して設けられ、対応する前記映像表示装置における前記ディスプレイに少なくとも一部の前記映像を表示させる複数の表示用コンピューターと、複数の前記表示用コンピューターに対し、前記マルチディスプレイにおける前記映像の表示範囲に関する情報である表示範囲情報を出力する１つの操作用コンピューターとを備え、各前記映像表示装置は、当該映像表示装置が有する前記ディスプレイの、前記マルチディスプレイ全体における位置及び大きさに関する情報である配置情報を取得し、各前記表示用コンピューターは、対応する前記映像表示装置から前記配置情報を読み出し、少なくとも１つの前記表示用コンピューターは、前記配置情報と前記表示範囲情報とに基づいて、対応する前記映像表示装置における前記ディスプレイに少なくとも一部の前記映像を表示させる。
【００１１】
このような構成によれば、簡易な設定によって、マルチディスプレイにおいて複数のディスプレイに跨る映像を表示することができる。すなわち、映像表示装置において対応するディスプレイの配置情報が取得されるだけで、表示用コンピューターにおいて対応するディスプレイの配置情報を読み込むことにより、配置情報と操作用コンピューターから出力される表示範囲情報とに基づいて、マルチディスプレイにおいて適切に映像を表示させることができる。
【００１２】
本技術の目的、特徴、局面及び利点は、以下の詳細な説明と添付図面とによって、より明白となる。
【図面の簡単な説明】
【００１３】
【図１】実施形態に関する映像表示システムの構成を概念的に示す図である。
【図２】映像表示システムの設置時及び調整時における操作の手順を示すフローチャートである。
【図３】書き込まれる各情報のバイト数、記述子及び値を示す図である。
【図４】表示用コンピューターが対応するディスプレイにおいて映像を表示させる際の動作の手順を示すフローチャートである。
【図５】実施形態に関する映像表示システムの構成を概念的に示す図である。
【発明を実施するための形態】
【００１４】
以下、添付の図面を参照しながら実施形態について説明する。なお、図面は模式的に示されるものであり、異なる図面にそれぞれ示されている画像の大きさ及び位置の相互関係は、必ずしも正確に記載されるものではなく、適宜変更され得る。また、以下の説明では、同様の構成要素には同じ符号を付して図示し、それらの名称及び機能も同様のものとする。よって、それらについての詳細な説明を省略する場合がある。
【００１５】
また、以下の説明では、「上」、「下」又は「側」などの特定の位置及び方向を意味する用語が用いられる場合があるが、これらの用語は、実施形態の内容を理解することを容易にするため便宜上用いられているものであり、実際に実施される際の方向とは関係しない。
【００１６】
＜実施形態＞
＜構成＞
図１は、本実施形態に関する映像表示システムの構成を概念的に示す図である。図１に示されるように、映像表示システムは、映像ウィンドウを表示する複数のディスプレイ１、ディスプレイ２、ディスプレイ３及びディスプレイ４が組み合わせられて構成されるマルチディスプレイ１０と、各ディスプレイにそれぞれ接続される表示用コンピューター１１、表示用コンピューター１２、表示用コンピューター１３及び表示用コンピューター１４と、各表示用コンピューターに共通して接続される１つの操作用コンピューター２０１と、各表示用コンピューター及び操作用コンピューター２０１に共通して接続される映像データ供給装置１０１とを備える。
【００１７】
ディスプレイ１、ディスプレイ２、ディスプレイ３及びディスプレイ４は、それぞれが配列されることによりマルチディスプレイ１０を形成する。配列方法については、例えば図１に示された縦２つ横２つの場合に限られるものではなく、縦横の数、さらにはディスプレイの数についても、任意に変更することができる。各ディスプレイは、映像表示装置（図示せず）に備えられるものであり、映像を表示するための制御機構は、各ディスプレイの側面又は裏面などに配置される。
【００１８】
表示用コンピューター１１、表示用コンピューター１２、表示用コンピューター１３及び表示用コンピューター１４は、各ディスプレイに対応してそれぞれ無線又は有線のネットワーク（例えば映像ケーブル）を介して接続される。図１においては、表示用コンピューター１１はディスプレイ１に接続され、表示用コンピューター１２はディスプレイ２に接続され、表示用コンピューター１３はディスプレイ３に接続され、表示用コンピューター１４はディスプレイ４に接続されている。各表示用コンピューターにおいては、対応するディスプレイにおいて映像ウィンドウを表示するためのプログラムがそれぞれ動作する。
【００１９】
操作用コンピューター２０１では、マルチディスプレイ１０における映像ウィンドウの表示制御が行われる。具体的には、操作用コンピューター２０１から出力される制御信号にしたがい、操作用コンピューター２０１と無線又は有線のネットワークを介して接続された各表示用コンピューターにおけるプログラムが動作する。そして、各表示用コンピューターに対応する各ディスプレイにおいて表示制御が行われる。この際、ネットワーク対応型カメラなどである映像データ供給装置１０１から各表示用コンピューターへ向けて映像データが送信される。各表示用コンピューターにおいては、受信した映像データがデコードされ、対応するディスプレイの映像表示に用いられる。
【００２０】
映像データ供給装置１０１から送信された映像データをマルチディスプレイ１０において映像ウィンドウとして表示する場合、まず、操作用コンピューター２０１が操作される。そして、当該操作によって、マルチディスプレイ１０全体の座標系における映像ウィンドウの位置及び大きさに関する情報である表示範囲情報が設定される。さらに、設定された表示範囲情報が、接続されるすべての表示用コンピューターに送信される。
【００２１】
表示範囲情報を受信した各表示用コンピューターでは、マルチディスプレイ１０全体の座標系における映像ウィンドウの表示範囲に基づいて、対応するディスプレイにおける映像ウィンドウ、すなわち、映像ウィンドウ全体のうち対応するディスプレイに表示される部分の位置と大きさとが計算される。そして、各表示用コンピューターによって、対応するディスプレイにおける映像ウィンドウの表示制御が行われる。各表示用コンピューターにおいて当該制御が行われることで、マルチディスプレイ１０に表示される映像ウィンドウが、全体として表示制御される。
【００２２】
ここで、各表示用コンピューターは、マルチディスプレイ１０全体の座標系において、対応するディスプレイがどの位置に配置されるかについて把握しておく必要がある。すなわち、対応するディスプレイのマルチディスプレイ１０全体における位置及び大きさに関する情報である配置情報を得ておく必要がある。
【００２３】
ここで、各映像表示装置と対応する表示用コンピューターとの接続には、例えば、ｄｉｇｉｔａｌ  ｖｉｓｕａｌ  ｉｎｔｅｒｆａｃｅ（ＤＶＩ）、ｈｉｇｈ  ｄｅｆｉｎｉｔｉｏｎ  ｍｕｌｔｉｍｅｄｉａ  ｉｎｔｅｒｆａｃｅ（ＨＤＭＩ、登録商標）、ＤｉｓｐｌａｙＰｏｒｔなどのデジタルインターフェース又はｖｉｄｅｏ  ｇｒａｐｈｉｃｓ  ａｒｒａｙ（ＶＧＡ）などのアナログインターフェースが用いられる。
【００２４】
これらのインターフェースでは、通信手段として、例えば、米国の規格標準化団体であるｖｉｄｅｏ  ｅｌｅｃｔｒｏｎｉｃ  ｓｔａｎｄａｒｄｓ  ａｓｓｏｃｉａｔｉｏｎ（ＶＥＳＡ）で規格化されたｄｉｓｐｌａｙ  ｄａｔａ  ｃｈａｎｎｅｌ（ＤＤＣ）と呼ばれる規格が利用され、ディスプレイの解像度又は走査周波数などの情報の通信には、例えば、同じくＶＥＳＡで規格化されたＥｘｔｅｎｄｅｄ  Ｄｉｓｐｌａｙ  Ｉｄｅｎｔｉｆｉｃａｔｉｏｎ  Ｄａｔａ（ＥＤＩＤ）が利用される。
【００２５】
映像表示装置において、配置情報が手動又は自動で設定される際には、ＥＤＩＤの一部の領域に当該情報が書き込まれる。そして、その映像表示装置に接続された表示用コンピューターがＤＤＣを用いてＥＤＩＤを読み込み、当該表示用コンピューターが配置情報を取得することにより、当該表示用コンピューターは対応するディスプレイのマルチディスプレイ１０における位置及び大きさを把握することができる。
【００２６】
＜操作＞
次に、本実施形態に関する映像表示システムの操作について、図２を参照しつつ説明する。図２は、映像表示システムの設置時及び調整時における操作の手順を示すフローチャートである。
【００２７】
映像表示システムの設置調整者は、設置調整時にリモコンなどを用いて映像表示装置を操作し、自動又は手動で各映像表示装置に対して、対応するディスプレイのマルチディスプレイ１０における位置の情報を入力する（ステップＳ１）。位置の情報は、例えば、マトリクス状に並べられた場合の水平方向の位置ＨＰｏｓと、垂直方向の位置ＶＰｏｓとの双方が該当する。設置調整者の作業はこれだけ行えばよい。図２の設置作業のフローチャートにおいて、設置調整者は、２−１の作業をすれば良い。
【００２８】
映像表示装置のファームウェアは、設置調整者により各映像表示装置の位置の情報が入力されたら、ＥＤＩＤの一部の領域に、設置調整者により入力された位置の情報である、例えば、当該映像表示装置の水平方向の位置ＨＰｏｓと、垂直方向の位置ＶＰｏｓとを書き込む（ステップＳ２）。
【００２９】
例えば、ＥＤＩＤ  Ｖｅｒｓｉｏｎ  １  Ｒｅｖｉｓｉｏｎ  １以上では、７２バイトのＤｅｔａｉｌｅｄ  Ｔｉｍｉｎｇ  Ｂｌｏｃｋに映像表示装置固有の情報を書き込むことができる。Ｄｅｔａｉｌｅｄ  Ｔｉｍｉｎｇ  Ｂｌｏｃｋは１８Ｂｙｔｅ毎の４個のＭｏｎｉｔｏｒ  Ｄｅｓｃｒｉｐｔｏｒ  Ｂｌｏｃｋに分けられており、各Ｍｏｎｉｔｏｒ  Ｄｅｓｃｒｉｐｔｏｒ  Ｂｌｏｃｋでは、その映像表示装置が表示できる詳細な映像信号タイミング、その映像表示装置のシリアル番号及び型名の他に、製造者が定義する固有の情報を書き込むことができる。
【００３０】
そのため、映像表示装置のファームウェアは、ＥＤＩＤのＤｅｔａｉｌｅｄ  Ｔｉｍｉｎｇ  ＢｌｏｃｋのＭｏｎｉｔｏｒ  Ｄｅｓｃｒｉｐｔｏｒ  Ｂｌｏｃｋの１個に、図３で示されるような情報を書き込む。ここで、図３は、書き込まれる各情報のバイト数、記述子及び値を示す図である。
【００３１】
図３のデータタイプタグ（番号３−３）には、このＭｏｎｉｔｏｒ  Ｄｅｓｃｒｉｐｔｏｒ  Ｂｌｏｃｋが製造者によって定義された固有の情報であることを示す値である０Ｆｈを書き込む。これは、ＥＤＩＤの仕様である。図３の水平位置（番号３−５）及び垂直位置（番号３−６）には、設置調整者により設定された当該映像表示装置に対応するディスプレイの水平方向の位置ＨＰｏｓと、垂直方向の位置ＶＰｏｓとを書き込む。例えば、図１の映像表示装置のＥＤＩＤには、ＨＰｏｓ＝１とＶＰｏｓ＝１とが書き込まれる。すなわち、映像表示装置に対応するディスプレイの水平方向の位置及び垂直方向の位置は、配置されたディスプレイの数に依存する値である。
【００３２】
各表示用コンピューターは、起動するとそれぞれ接続された映像表示装置からＥＤＩＤを読み込む（ステップＳ３）。例えば、Ｗｉｎｄｏｗｓ（登録商標）のＯＳを搭載した表示用コンピューターは、ＤＤＣを用いて接続された映像表示装置からＥＤＩＤを読み込み、レジストリと呼ばれるデータベースへ記録する。
【００３３】
図４は、表示用コンピューターが対応するディスプレイにおいて映像を表示させる際の動作の手順を示すフローチャートである。
【００３４】
表示用コンピューターに搭載されるプログラムは、レジストリからＥＤＩＤを読み込む（ステップＳ４）。さらに、表示用コンピューターに搭載されるプログラムは、図３に示されたＭｏｎｉｔｏｒ  Ｄｅｓｃｒｉｐｔｏｒ  Ｂｌｏｃｋの水平位置（番号３−５）及び垂直位置（番号３−６）を読み込む（ステップＳ５）。次に、表示用コンピューターに搭載されるプログラムは、そのプログラムが動作している表示用コンピューターの、対応するディスプレイの解像度を取得する（ステップＳ６）。
【００３５】
そして、表示用コンピューターに搭載されるプログラムは、ＥＤＩＤから取得した水平位置ＨＰｏｓ（番号３−５）及び垂直位置ＶＰｏｓ（番号３−６）と対応するディスプレイの解像度とにより、マルチディスプレイ１０全体の座標系における、当該表示用コンピューターに対応するディスプレイの例えば左上の座標を算出することができる（ステップＳ７）。すなわち、表示用コンピューターに搭載されるプログラムは、ＥＤＩＤから取得した配置情報に基づいて、マルチディスプレイ１０全体の座標系における、当該表示用コンピューターに対応するディスプレイの例えば左上の座標を算出することができる。
【００３６】
操作用コンピューター２０１により操作され映像データ供給装置１０１から送信された映像データを、複数のディスプレイに跨る１つの映像ウィンドウとして表示する場合、操作用コンピューター２０１からは、マルチディスプレイ１０全体の座標系における映像ウィンドウの表示範囲（位置及び大きさ）に関する情報である表示範囲情報を、各表示用コンピューターに送信する。この時、マルチキャスト又はブロードキャストの通信を用いれば、操作用コンピューター２０１は、映像ウィンドウを表示すべき表示用コンピューターを特定することも不要とできる。また、表示用コンピューターのネットワーク管理に、ｄｙｎａｍｉｃ  ｈｏｓｔ  ｃｏｎｆｉｇｕｒａｔｉｏｎ  ｐｒｏｔｏｃｏｌ（ＤＨＣＰ）などを用いれば、各表示用コンピューターの設定項目も最小限に抑えることができ、設置調整者の作業量をさらに減らすことができる。
【００３７】
各表示用コンピューターに搭載されるプログラムは、操作用コンピューター２０１から表示範囲情報を受信した場合、マルチディスプレイ１０全体の座標系における映像ウィンドウの位置の情報と大きさの情報と、図４に示された手順で求めたマルチディスプレイ１０全体の座標系における、その表示用コンピューターに対応するディスプレイ左上の座標と、その表示用コンピューターに対応するディスプレイの解像度とから、映像ウィンドウを表示するか否かを独自に判断することができる。すなわち、映像ウィンドウ全体のうち対応するディスプレイに表示される部分があるか否かを、表示範囲情報と配置情報とに基づいて、独自に判断することができる。
【００３８】
例えば、マルチディスプレイ１０全体の座標系における映像ウィンドウの水平位置がＸｗ、垂直位置がＹｗ、水平サイズがＷｗ、垂直サイズがＨｗとした場合、ある特定の表示用コンピューターに対応する、マルチディスプレイ１０全体の座標系におけるディスプレイ左上の水平座標ＨＰｏｓ及び垂直座標ＶＰｏｓと、水平方向のディスプレイ解像度ＤＷ及び垂直方向のディスプレイ解像度ＤＨとを用いて、下記のいずれかの条件に合致する場合は、当該表示用コンピューターに搭載されるプログラムは、対応するディスプレイにおいて映像ウィンドウを表示しない。
【００３９】
【数１】
2016109797.tif 000003
【００４０】
逆に上記のいずれの条件にも合致しない場合は、この表示用コンピューターのプログラムは映像ウィンドウを表示すると判断する。
【００４１】
図５は、本実施形態に関する映像表示システムの構成を概念的に示す図である。図５に示されるように、映像表示システムは、映像ウィンドウを表示する複数のディスプレイ１ａ、ディスプレイ２ａ、ディスプレイ３ａ、ディスプレイ４ａ、ディスプレイ５ａ及びディスプレイ６ａからなるマルチディスプレイ１０ａと、各ディスプレイにそれぞれ接続される表示用コンピューター１１ａ、表示用コンピューター１２ａ、表示用コンピューター１３ａ、表示用コンピューター１４ａ、表示用コンピューター１５ａ及び表示用コンピューター１６ａと、各表示用コンピューターに共通して接続される操作用コンピューター２０１ａと、各表示用コンピューター及び操作用コンピューター２０１ａに共通して接続される映像データ供給装置１０１ａとを備える。図５に示される映像表示システムは、図１に示される映像表示システムとは異なり、縦に２つ、横に３つのディスプレイが配列されたマルチディスプレイ１０ａを構成するものである。
【００４２】
図５に示される映像表示システムでは、表示用コンピューター１１ａに搭載されるプログラム及び表示用コンピューター１４ａに搭載されるプログラムは、下記の条件と合致するので、映像ウィンドウ２１を表示しないと判断する。
【００４３】
【数２】
2016109797.tif 000004
【００４４】
また、表示用コンピューター１２ａ、表示用コンピューター１３ａ、表示用コンピューター１５ａ及び表示用コンピューター１６ａの各プログラムは、
【００４５】
【数３】
2016109797.tif 000005
【００４６】
のいずれの条件にも合致しないため、映像ウィンドウ２１を表示すると判断する。
【００４７】
次に、表示用コンピューター１２ａ、表示用コンピューター１３ａ、表示用コンピューター１５ａ及び表示用コンピューター１６ａの各プログラムは、操作用コンピューター２０１ａから送信されたマルチディスプレイ１０全体の座標系における映像ウィンドウの表示範囲情報である位置Ｘｗ及び位置Ｙｗと、サイズＷｗ及びサイズＨｗと、対応する映像表示装置のＥＤＩＤから取得したマルチディスプレイ１０ａ全体の座標系における対応するディスプレイの位置及び大きさに関する配置情報としての、ディスプレイ左上の座標ＨＰｏｓ、ＶＰｏｓと、ディスプレイ解像度ＤＷ及び解像度ＤＨとから、各表示用コンピューターに対応するディスプレイにおいて独立して表示する映像ウィンドウの、各表示用コンピューターに対応するディスプレイの座標系における位置と大きさとを計算することができる。
【００４８】
各表示用コンピューターに対応するディスプレイの座標系における水平位置をＸｃｗ、垂直位置をＹｃｗ、水平サイズをＷｃｗ、垂直サイズをＨｃｗとする。
【００４９】
もし、Ｘｗ  ≦  ＨＰｏｓなら、水平位置Ｘｃｗは下記のようになる。
【００５０】
【数４】
2016109797.tif 000006
【００５１】
そうでない場合、すなわち、Ｘｗ  ＞  ＨＰｏｓなら、水平位置Ｘｃｗは下記のようになる。
【００５２】
【数５】
2016109797.tif 000007
【００５３】
同様に、Ｙｗ  ≦  ＶＰｏｓなら、垂直位置Ｙｃｗは下記のようになる。
【００５４】
【数６】
2016109797.tif 000008
【００５５】
そうでない場合、すなわち、Ｙｗ  ＞  ＶＰｏｓなら、垂直位置Ｙｃｗは下記のようになる。
【００５６】
【数７】
2016109797.tif 000009
【００５７】
次に、Ｘｗ  ＋  Ｗｗ  ≧  ＨＰｏｓ  ＋  ＤＷなら、水平サイズＷｃは下記のようになる。
【００５８】
【数８】
2016109797.tif 000010
【００５９】
そうでない場合、すなわち、Ｘｗ  ＋  Ｗｗ  ＜  ＨＰｏｓ  ＋  ＤＷなら、水平サイズＷｃｗは下記のようになる。
【００６０】
【数９】
2016109797.tif 000011
【００６１】
同様に、Ｙｗ  ＋  Ｈｗ  ≧  ＶＰｏｓ  ＋  ＤＨなら、垂直サイズＨｃｗは下記のようになる。
【００６２】
【数１０】
2016109797.tif 000012
【００６３】
そうでない場合、すなわち、Ｙｗ  ＋  Ｈｗ  ＜  ＶＰｏｓ  ＋  ＤＨなら、垂直サイズＨｃｗは下記のようになる。
【００６４】
【数１１】
2016109797.tif 000013
【００６５】
上記を各表示用コンピューターで計算し、各表示用コンピューターは、上記の計算から求めた位置及び大きさで映像ウィンドウを表示する。
【００６６】
マルチディスプレイ１０ａ全体で１つの映像ウィンドウとして映像を表示するために、各表示用コンピューターに対応するディスプレイにおける映像ウィンドウには、映像データ供給装置１０１が送出している元の映像３１のすべてが表示されるわけではなく、マルチディスプレイ１０ａ全体のうちで、各ディスプレイが配置された位置に対応する分の映像を元の映像３１から切り出して独立して映像ウィンドウを表示する必要がある。
【００６７】
映像データ供給装置１０１ａが送出している元の映像３１から、各表示用コンピューターに搭載されたプログラムが切り出す映像の切り出し開始位置及び切り出しサイズについても、操作用コンピューター２０１ａから送信されたマルチディスプレイ１０ａ全体の座標系における映像ウィンドウの表示範囲情報である位置Ｘｗ及び位置ＹｗとサイズＷｗ及びサイズＨｗと、対応する映像表示装置のＥＤＩＤから取得したマルチディスプレイ１０ａ全体の座標系における対応するディスプレイの左上の座標ＨＰｏｓ、ＶＰｏｓと、ディスプレイ解像度ＤＷ及び解像度ＤＨとから計算することができる。
【００６８】
例えば、各表示用コンピューターに搭載されたプログラムが切り出す映像は、映像データ供給装置１０１ａが送出している元の映像３１の水平解像度をＷｓ、垂直解像度をＨｓとし、映像データ供給装置１０１ａが送出している元の映像３１の座標系における映像の切り出し水平開始位置をＸｃｃ、切り出し垂直開始位置をＹｃｃ、切り出し水平サイズをＷｃｃ、切り出し垂直サイズをＨｃｃとすると、下記のように求めることができる。
【００６９】
もし、Ｘｗ  ≧  ＨＰｏｓなら、切り出し水平開始位置Ｘｃｃは下記のようになる。
【００７０】
【数１２】
2016109797.tif 000014
【００７１】
そうでない場合、すなわち、Ｘｗ  ＜  ＨＰｏｓなら、切り出し水平開始位置Ｘｃｃは下記のようになる。
【００７２】
【数１３】
2016109797.tif 000015
【００７３】
同様に、Ｙｗ  ≧  ＶＰｏｓなら、切り出し垂直開始位置Ｙｃｃは下記のようになる。
【００７４】
【数１４】
2016109797.tif 000016
【００７５】
そうでない場合、すなわち、Ｙｗ  ＜  ＶＰｏｓなら、切り出し垂直開始位置Ｙｃｃは下記のようになる。
【００７６】
【数１５】
2016109797.tif 000017
【００７７】
次に、切り出し水平サイズＷｃｃ及び切り出し垂直サイズＨｃｃは下記のようになる。
【００７８】
【数１６】
2016109797.tif 000018
【００７９】
ただし、各表示用コンピューターに搭載されたプログラムが計算する元の映像３１からの切り出し開始位置及び切り出し開始サイズの算出方法については一例であり、映像のつながりなどを考慮して別の方法が用いられてもよい。
【００８０】
＜効果＞
以下に、本実施形態による効果を例示する。
【００８１】
本実施形態によれば、複数のディスプレイが組み合わせられて構成されるマルチディスプレイ１０において、複数のディスプレイに跨る映像３１を表示する映像表示システムが、各ディスプレイを有する、複数の映像表示装置と、複数の表示用コンピューターと、１つの操作用コンピューター２０１とを備える。
【００８２】
表示用コンピューターは、各映像表示装置に対応して設けられ、対応する映像表示装置におけるディスプレイに少なくとも一部の映像を表示させる。操作用コンピューター２０１は、複数の表示用コンピューターに対し、マルチディスプレイ１０における映像の表示範囲に関する情報である表示範囲情報を出力する。
【００８３】
そして、各映像表示装置は、当該映像表示装置が有するディスプレイの、マルチディスプレイ１０全体における位置及び大きさに関する情報である配置情報を取得する。また、各表示用コンピューターは、対応する映像表示装置から配置情報を読み出す。そして、少なくとも１つの表示用コンピューターは、配置情報と表示範囲情報とに基づいて、対応する映像表示装置におけるディスプレイに少なくとも一部の映像を表示させる。
【００８４】
このような構成によれば、簡易な設定によって、マルチディスプレイにおいて複数のディスプレイに跨る映像を表示することができる。すなわち、本実施形態によれば、設置調整者が映像表示装置において、対応するディスプレイの配置情報が取得されるだけで、表示用コンピューターに搭載されたプログラムが対応するディスプレイの配置情報を読み込むことにより、表示用コンピューターに搭載されたプログラムが、配置情報と操作用コンピューター２０１から出力される表示範囲情報とに基づいて、マルチディスプレイにおいて適切に映像を表示させることができる。
【００８５】
よって、設置調整者が、各表示用コンピューターに対し、対応するディスプレイのマルチディスプレイ１０全体における位置及び大きさの情報を再度設定する必要がなくなる。すなわち、設置調整者が操作に要する時間を短縮することができる。
【００８６】
また、このような構成によれば、１つの操作用コンピューター２０１から複数の表示用コンピューターへ表示範囲情報を出力することとなるため、操作用コンピューター２０１の操作のみで各表示用コンピューターにおける当該情報の内容を変更することができるため、ディスプレイの増設又は災害による一部のディスプレイの故障などの場合であっても、表示範囲情報の変更のみで対応し、映像の適切な表示を維持することができる。
【００８７】
なお、これらの構成以外の構成については適宜省略することができるが、本明細書に示される任意の構成を適宜追加した場合でも、上記の効果を生じさせることができる。
【００８８】
また、本実施形態によれば、配置情報は、少なくとも、マルチディスプレイを構成する各ディスプレイの数及び各ディスプレイの解像度に基づいて設定される。
【００８９】
このような構成によれば、表示用コンピューターに搭載されたプログラムが、対応するディスプレイの配置情報を読み込むことにより、表示用コンピューターにおいて、対応するディスプレイのマルチディスプレイ１０全体における位置及び大きさを把握することができる。
【００９０】
また、本実施形態によれば、各表示用コンピューターは、対応する映像表示装置から、ＥＤＩＤの一部の領域に書き込まれた配置情報を読み出す。
【００９１】
このような構成によれば、表示用コンピューターに搭載されたプログラムが、ＥＤＩＤの一部の領域に書き込まれた配置情報を読み込むことにより、表示用コンピューターにおいて、対応するディスプレイのマルチディスプレイ１０全体における位置及び大きさを把握することができる。
【００９２】
＜変形例＞
上記実施形態では、各構成要素の寸法、形状、相対的配置関係又は実施の条件などについても記載している場合があるが、これらはすべての局面において例示であって、本明細書に記載されたものに限られることはない。よって、例示されていない無数の変形例が、本技術の範囲内において想定される。例えば、任意の構成要素を変形する場合、追加する場合又は省略する場合が含まれる。
【００９３】
また、矛盾が生じない限り、上記実施形態において「１つ」備えられるものとして記載された構成要素は、「１つ以上」備えられていてもよい。さらに、各構成要素は概念的な単位であって、１つの構成要素が複数の構造物から成る場合及び１つの構成要素がある構造物の一部に対応する場合を含む。また、各構成要素には、同一の機能を発揮する限り、他の構造又は形状を有する構造物が含まれる。
【００９４】
また、本明細書における説明は、本技術のすべての目的のために参照され、いずれも、従来技術であると認めるものではない。
【符号の説明】
【００９５】
１，１ａ，２，２ａ，３，３ａ，４，４ａ，５ａ，６ａ  ディスプレイ、１０，１０ａ  マルチディスプレイ、１１，１１ａ，１２，１２ａ，１３，１３ａ，１４，１４ａ，１５ａ，１６ａ  表示用コンピューター、２１  映像ウィンドウ、３１  映像、１０１，１０１ａ  映像データ供給装置、２０１，２０１ａ  操作用コンピューター。
【図１】
2016109797.tif 000019
【図２】
2016109797.tif 000020
【図３】
2016109797.tif 000021
【図４】
2016109797.tif 000022
【図５】
2016109797.tif 000023